【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
開口絞りと、
歪曲調整に際して移動する第Ａ群と、
該第Ａ群よりも像側に配置され、前記歪曲調整に際して前記第Ａ群とは異なる軌跡で移動する第Ｂ群と、を有する光学系であって、
前記歪曲調整に際して、前記光学系は、第１の歪曲収差を有する第１の光学状態から、前記第１の歪曲収差よりも大きい第２の歪曲収差を有する第２の光学状態に変化し、
前記第Ａ群および前記第Ｂ群の焦点距離をそれぞれｆＡ、ｆＢ、前記第１の光学状態から前記第２の光学状態へ変化する際の前記第Ａ群および前記第Ｂ群の移動量をそれぞれＸＡ、ＸＢ、前記第１の光学状態における前記開口絞りから前記第Ａ群および前記第Ｂ群までの光軸上の距離をそれぞれＬＡ、ＬＢ、前記第１の光学状態における前記第Ａ群の最も物体側のレンズ面から像面までの光軸上の距離をＡＬ、前記光学系の光学全長をＴＬ、前記第１の光学状態および前記第２の光学状態における前記光学系の歪曲収差をそれぞれＤ１、Ｄ２、前記第１の光学状態および前記第２の光学状態における前記光学系の全系の焦点距離をそれぞれｆ１、ｆ２として、Ｆ＝（ｆ２−ｆ１）×１００／ｆ２、ΔＤ＝Ｄ２−Ｄ１とするとき、
（ｆＡ／｜ｆＡ｜）×（ＸＡ／｜ＸＡ｜）×（ＬＡ／｜ＬＡ｜）＋（ｆＢ／｜ｆＢ｜）×（ＸＢ／｜ＸＢ｜）×（ＬＢ／｜ＬＢ｜）＝０
ＡＬ／ＴＬ＞０．７
−２．０＜Ｆ／ΔＤ＜０．５
なる条件式を満足することを特徴とする光学系。
【請求項２】
前記第Ａ群および前記第Ｂ群の像面位置敏感度をそれぞれＳＡ、ＳＢとするとき、
−２．０＜（ＳＡ×ＸＡ）／（ＳＢ×ＸＢ）＜−０．５
なる条件式を満足することを特徴とする請求項１に記載の光学系。
【請求項３】
前記第Ａ群および前記第Ｂ群は、前記第１の光学状態から前記第２の光学状態へ変化する際に、前記光学系の焦点距離が一定または大きくなるように移動することを特徴とする請求項１または２に記載の光学系。
【請求項４】
前記第Ａ群は、負の屈折力を有する単一のレンズであることを特徴とする請求項１乃至３のいずれか１項に記載の光学系。
【請求項５】
前記第Ａ群は、非球面を有するレンズを含むことを特徴とする請求項１乃至４のいずれか１項に記載の光学系。
【請求項６】
前記光学系は、ズームレンズであり、
前記ズームレンズは、物体側より像側へ順に、負の屈折力の第１レンズ群、および、正の屈折力の第２レンズ群を有し、ズーミングに際して隣り合うレンズ群の間隔が変化し、前記第Ａ群は、前記第１レンズ群の一部のレンズであることを特徴とする請求項１乃至５のいずれか１項に記載の光学系。
【請求項７】
前記光学系は、ズームレンズであり、
前記第１の光学状態から前記第２の光学状態へ変化する際に、前記第Ａ群および前記第Ｂ群は、ズーミングに際しての移動とは独立して移動することを特徴とする請求項１乃至６のいずれか１項に記載の光学系。
【請求項８】
請求項１乃至７のいずれか１項に記載の光学系と、
前記歪曲調整を行うための歪曲操作手段と、を有する光学機器であって、
前記歪曲操作手段が操作されることに応じて、前記第Ａ群および前記第Ｂ群を互いに異なる軌跡で光軸方向に移動させることを特徴とする光学機器。
【請求項９】
請求項８に記載の光学機器と、
前記光学系により形成される光学像を受光する光電変換素子と、を有することを特徴とする撮像装置。
【請求項１０】
開口絞りと、歪曲調整に際して移動する第Ａ群と、該第Ａ群よりも像側に配置され、前記歪曲調整に際して前記第Ａ群とは異なる軌跡で移動する第Ｂ群とを有する変倍光学系と、
前記歪曲調整を行うための歪曲操作手段と、
前記光学系の焦点距離を変化させるためのズーム操作手段と、
前記光学系の焦点位置を変化させるためのフォーカス操作手段と、を有する光学機器であって、
前記歪曲操作手段が操作されることに応じて、前記第Ａ群および前記第Ｂ群は、互いに異なる軌跡で光軸方向に移動し、
前記第Ａ群および前記第Ｂ群が移動することにより、前記光学系は、第１の歪曲収差を有する第１の光学状態から、前記第１の歪曲収差よりも大きい第２の歪曲収差を有する第２の光学状態へ変化することを特徴とする光学機器。
【請求項１１】
前記歪曲操作手段は、前記第Ａ群および前記第Ｂ群を、ズーミングに際しての移動とは独立して移動させることを特徴とする請求項１０に記載の光学機器。
【請求項１２】
開口絞りと、歪曲調整に際して移動する第Ａ群と、該第Ａ群よりも像側に配置され、前記歪曲調整に際して前記第Ａ群とは異なる軌跡で移動する第Ｂ群とを有する単焦点光学系と、
前記歪曲調整を行うための歪曲操作手段と、
前記光学系の焦点位置を変化させるためのフォーカス操作手段と、を有する光学機器であって、
前記歪曲操作手段が操作されることに応じて、前記第Ａ群および前記第Ｂ群は、互いに異なる軌跡で光軸方向に移動し、
前記第Ａ群および前記第Ｂ群が移動することにより、前記光学系は、第１の歪曲収差を有する第１の光学状態から、前記第１の歪曲収差よりも大きい第２の歪曲収差を有する第２の光学状態へ変化することを特徴とする光学機器。
【請求項１３】
前記第Ａ群および前記第Ｂ群の焦点距離をそれぞれｆＡ、ｆＢ、前記第１の光学状態から前記第２の光学状態へ変化する際の前記第Ａ群および前記第Ｂ群の移動量をそれぞれＸＡ、ＸＢ、前記開口絞りから前記第Ａ群および前記第Ｂ群までの光軸上の距離をそれぞれＬＡ、ＬＢとするとき、
（ｆＡ／｜ｆＡ｜）×（ＸＡ／｜ＸＡ｜）×（ＬＡ／｜ＬＡ｜）＋（ｆＢ／｜ｆＢ｜）×（ＸＢ／｜ＸＢ｜）×（ＬＢ／｜ＬＢ｜）＝０
なる条件式を満足することを特徴とする請求項１０乃至１２のいずれか１項に記載の光学機器。
【請求項１４】
前記第Ａ群の最も物体側のレンズ面から像面までの光軸上の距離をＡＬ、前記光学系の光学全長をＴＬとするとき、
ＡＬ／ＴＬ＞０．７
なる条件式を満足することを特徴とする請求項１０乃至１３のいずれか１項に記載の光学機器。 
【請求項１５】
前記第１の光学状態および前記第２の光学状態における前記光学系の歪曲収差をそれぞれＤ１、Ｄ２、前記第１の光学状態および前記第２の光学状態における前記光学系の全系の焦点距離をそれぞれｆ１、ｆ２として、Ｆ＝（ｆ２−ｆ１）×１００／ｆ２、ΔＤ＝Ｄ２−Ｄ１とするとき、
−２．０＜Ｆ／ΔＤ＜０．５
なる条件式を満足することを特徴とする請求項１０乃至１４のいずれか１項に記載の光学機器。
【請求項１６】
前記第Ａ群および前記第Ｂ群の像面位置敏感度をそれぞれＳＡ、ＳＢとするとき、
−２．０＜（ＳＡ×ＸＡ）／（ＳＢ×ＸＢ）＜−０．５
なる条件式を満足することを特徴とする請求項１０乃至１５のいずれか１項に記載の光学機器。
【請求項１７】
前記第Ａ群および前記第Ｂ群は、前記第１の光学状態から前記第２の光学状態へ変化する際に、前記光学系の焦点距離が一定または大きくなるように移動することを特徴とする請求項１０乃至１６のいずれか１項に記載の光学機器。
【請求項１８】
前記第Ａ群は、負の屈折力を有する単一のレンズであることを特徴とする請求項１０乃至１７のいずれか１項に記載の光学機器。
【請求項１９】
前記光学系は、ズームレンズであり、
前記ズームレンズは、物体側より像側へ順に、負の屈折力の第１レンズ群、および、正の屈折力の第２レンズ群を有し、ズーミングに際して隣り合うレンズ群の間隔が変化し、前記第Ａ群は、前記第１レンズ群の一部のレンズであることを特徴とする請求項１０乃至１８のいずれか１項に記載の光学機器。
【請求項２０】
請求項１０乃至１９のいずれか１項に記載の光学機器と、
前記光学系により形成される光学像を受光する光電変換素子と、を有することを特徴とする撮像装置。
【手続補正２】
【補正対象書類名】明細書
【補正対象項目名】００１０
【補正方法】変更
【補正の内容】
【００１０】
本発明の他の側面としての撮像装置は、前記光学系と、前記歪曲調整を行うための歪曲操作手段と、を有する光学機器であって、前記歪曲操作手段が操作されることに応じて、前記第Ａ群および前記第Ｂ群を互いに異なる軌跡で光軸方向に移動させる光学機器と、前記光学系により形成される光学像を受光する光電変換素子とを有する。
【手続補正３】
【補正対象書類名】明細書
【補正対象項目名】００１１
【補正方法】変更
【補正の内容】
【００１１】
本発明の他の側面としての光学機器は、開口絞りと、歪曲調整に際して移動する第Ａ群と、該第Ａ群よりも像側に配置され、前記歪曲調整に際して前記第Ａ群とは異なる軌跡で移動する第Ｂ群とを有する変倍光学系と、前記歪曲調整を行うための歪曲操作手段と、前記光学系の焦点距離を変化させるためのズーム操作手段と、前記光学系の焦点距離を変化させるためのフォーカス操作手段と、を有する光学機器であって、前記歪曲操作手段が操作されることに応じて、前記第Ａ群および前記第Ｂ群は、互いに異なる軌跡で光軸方向に移動し、前記第Ａ群および前記第Ｂ群が移動することにより、前記光学系は、第１の歪曲収差を有する第１の光学状態から、前記第１の歪曲収差よりも大きい第２の歪曲収差を有する第２の光学状態へ変化する。